(57)【要約】【課題】本発明は、暗号化された有料映像を受信する受信端末に関し、有料チャネルの視聴に関する契約の切替や、短時間の有料視聴に応じた課金を利用者側に設置した装置で簡易に行い、有料チャネルの視聴の拡大を図ることを目的とする。【解決手段】各チャネルの契約情報を格納した契約情報記憶手段と、契約情報記憶手段を参照し、利用者が選択したチャネルに関する契約種別を判定する判定手段と、判定手段の判定の結果、契約種別が固定料金制の場合には有料映像をデコードして表示装置に送信し、契約種別が従量制の場合は有料映像をデコードして表示装置に送信すると共に視聴時間の計量を開始する受信情報管理手段とを備える。【選択図】　図１
2004096357.tif 000002
【特許請求の範囲】
【請求項１】
暗号化された有料映像を受信する受信端末であって、
各チャネルの契約情報を格納した契約情報記憶手段と、
前記契約情報記憶手段を参照し、利用者が選択したチャネルに関する契約種別を判定する判定手段と、
前記判定手段の判定の結果、前記契約種別が固定料金制の場合には有料映像をデコードして表示装置に送信し、前記契約種別が従量制の場合は有料映像をデコードして表示装置に送信すると共に視聴時間の計量を開始する受信情報管理手段と
を備えることを特徴とする受信端末。
【請求項２】
前記受信情報管理手段は、前記判定手段の判定の結果、前記契約種別が未契約の場合に、利用者に対して契約を行うか否かを確認し、その結果を前記契約情報記憶手段に記録することを特徴とする請求項１記載の受信端末。
【請求項３】
前記受信情報管理手段は、前記判定手段の判定の結果、前記契約種別が未契約の場合に、所定の無料視聴時間を経た後、利用者に対して契約を行うか否かを確認し、その結果を前記契約情報記憶手段に記録することを特徴とする請求項１記載の受信端末。
【請求項４】
前記視聴時間をチャネルごとに蓄積して格納した課金情報記憶手段を備え、
前記課金情報記憶手段を参照し、所定期間ごとに前記視聴時間を集計した結果を有料映像配信者に送信する課金情報送信手段を備えたことを特徴とする請求項１から請求項３のいずれかに記載の受信端末。
【請求項５】
前記契約情報記憶手段は、チャネルごとの受信拒否情報を格納し、
前記受信拒否情報を参照し、受信拒否が設定されているチャネルについて視聴を抑止する手段を備えることを特徴とする請求項１から請求項４のいずれかに記載の受信端末。
【発明の詳細な説明】
【０００１】
【発明の属する技術分野】
本発明は、暗号化された有料映像を受信する受信端末に関するものである。
【０００２】
【従来の技術】
従来、映像配信システムの利用者は、映像配信者と視聴する有料チャネルを予め契約し、受信装置をＴＶ受信機に接続して映像を表示し、視聴していた。この際、有料チャネルの契約は、チャネルの番号（情報内容）に応じた、１ヶ月あたりの固定金額であった。
【０００３】
受信装置では、映像配信者より割り当てられた視聴許可コードや復号鍵によって、契約している有料チャネルのみをＴＶ受信機に表示し、未契約なチャネルは表示できないようにプロテクトしていた。
【０００４】
【発明が解決しようとする課題】
このため、限定された期間のみ有料チャネルを見たい場合、その期間だけ映像配信者と契約し、期間完了後に、契約を解約するなどの手続を面倒と考える利用者は、有料チャネルの契約を行わないため、契約者の拡大を図ることができないという問題があった。
【０００５】
また、１ヶ月よりも短時間だけ有料チャネルを見たい利用者は、１ヶ月あたりの固定金額の契約をしたのでは不公平を感じ、契約を行わないという問題もあった。
【０００６】
本発明は、これらの問題を解決するため、有料チャネルの視聴に関する契約の切替や、短時間の有料視聴に応じた課金を利用者側に設置した装置で簡易に行い、有料チャネルの視聴の拡大を図ることを目的としている。
【０００７】
【課題を解決するための手段】
図１を参照して課題を解決するための手段を説明する。
【０００８】
図１において、受信端末１は、受信したチャネルを視聴する受信端末であって、ここでは、表示装置１１、デコーダ１２などから構成されるものである。
【０００９】
表示装置１１は、画像を表示したり、音声を発声したりなどするものである。
【００１０】
デコーダ１２は、受信したチャネルを選択したり、選択したチャネルを復号して表示装置１１に表示したりなどするものであって、ここでは、表示制御手段１３、管理手段１４、契約管理テーブル１６などから構成されるものである。
【００１１】
表示制御手段１３は、契約管理テーブル１６を参照して選択されたチャネルを表示したり、抑止したりなどするものである。
【００１２】
管理手段１４は、契約管理テーブル１６を管理するものである。
配信センタ２は、ネットワークを介して多数のチャネルを受信端末１に配信するものである。
【００１３】
次に、動作を説明する。
受信端末１を構成する表示制御手段１３が選択された受信したいチャネルについて契約管理テーブル１６を参照して有料チャネルであって未契約のときに一定時間について視聴を許可し、受信を許可された未契約の有料チャネルをデコードして表示装置１１に表示し、視聴させるようにしている。
【００１４】
この際、視聴させようとする有料チャネルについて、契約管理テーブル１６に受信拒否の有りが設定されていたときに視聴を抑止するようにしている。
【００１５】
また、未契約の有料チャネルについて一定時間の無料の試し見時間を経過したときに、管理手段１４が正規の契約あるいは有料の試し見時間契約を選択する画面を表示し、画面上で正規の契約あるいは有料の試し見時間契約が選択されたときに当該情報を契約管理テーブル１６に設定するようにしている。
【００１６】
また、管理手段１４が契約管理テーブル１６に設定されたけ契約情報および視聴時間を必要に応じて配信センタ２に送信あるいは配信センタ２からの指示に対応して当該配信センタ２に送信するようにしている。
【００１７】
従って、有料チャネルの視聴に関する契約の切替や、短時間の有料視聴に応じた課金を利用者側に設置した装置で簡易に行えるようにすることにより、有料チャネルの視聴の拡大を図ることが可能となる。
【００１８】
【発明の実施の形態】
次に、図１から図８を用いて本発明の実施の形態および動作を順次詳細に説明する。
【００１９】
図１は、本発明のシステム構成図を示す。
図１において、受信端末１は、ネットワークなどから受信した多数のチャネルから選択、復号して視聴する受信端末であって、ここでは、表示装置１１、およびデコーダ１２などから構成されるものである。
【００２０】
表示装置１１は、画像を表示したり、音声を発声したりなどするものであって、例えばＴＶ受像機である。
【００２１】
デコーダ１２は、チャネルを選択したり、選択したチャネルを復号して表示装置１１に表示したりなどするものであって、ここでは、表示制御手段１３、管理手段１４などから構成されるものである。
【００２２】
表示制御手段１３は、契約管理テーブル１６を参照して選択されたチャネルを表示したり、抑止したりなどするものである。
【００２３】
管理手段１４は、契約管理テーブル１６を管理するものであって、有料チャネルを視聴した時間や契約内容を契約管理テーブル１６に設定したりなどするものである。
【００２４】
配信センタ２は、ネットワークを介して多数のチャネルを受信端末１に配信するものであって、ここでは、エンコーダ２１、およびサーバ２２などから構成されるものである。
【００２５】
エンコーダ２１は、チャネルの信号を盗聴されないようにエンコードするものである。
【００２６】
サーバ２２は、多数のチャネルを配信する配信手段２３、契約や課金を管理する管理手段２４、および契約管理テーブル２５、および管理データファイル２６などから構成されるものである。
【００２７】
配信手段２３は、多数のチャネルをネットワークを介して受信端末１に配信するものである。
【００２８】
管理手段２４は、契約管理テーブル２５および管理データファイル２６を管理するものであって、ここでは、各受信端末１から契約管理テーブル１６の送信を受けて契約管理テーブル２５に設定、更新したり、課金情報を集計して管理データファイル２６に設定したりなどするものである。
【００２９】
次に、図２から図８を用いて図１の構成の動作を順次詳細に説明する。
図２は、本発明の動作説明フローチャートを示す。
【００３０】
図２において、Ｓ１は、視聴したい有料チャネルを登録する。これは、利用者が図１の受信端末１で視聴したい有料チャネルを、例えば後述する図７の画面を表示装置１１に表示させ、視聴したい有料チャネルを設定し、Ｓ１１で有料チャネルの契約情報として、後述する図６の契約管理テーブル１６に示すように設定する。
【００３１】
Ｓ２は、時間制の無料の試し見で、ＴＶ受信機への表示を拒否するチャネルを登録する。これは、利用者が図示外の画面を表示させ、時間制の無料の試し見と設定されている、あるいはＳ１で時間制の無料の試し見と設定したチャネルについてＴＶ受信機への表示を拒否する旨を設定する。また、逆に表示拒否と設定されているチャネルの当該表示拒否をキャンセルする。
【００３２】
以上のＳ１とＳ１１、Ｓ２とＳ１２によって、利用者は受信端末１の表示装置１１に表示した画面（図７）上で視聴したい有料チャネルを登録したり、キャンセルしたり、更に、図示外の画面上で時間制の無料の試し見のチャネルの表示拒否を設定したりキャンセルしたりすることにより、後述する図６の契約管理テーブル１６上で、チャネル番号に対応づけて契約情報（未契約、固定料金契約、時間料金契約、有料試し見契約など）を登録することが可能となる。
【００３３】
Ｓ３、Ｓ１３は、課金情報を設定する。これは、利用者がＳ１とＳ１１、Ｓ２とＳ１２で契約管理テーブル１６に設定した有料チャネルについて、視聴した時間を計数（累積）するようにデコーダ１２に設定する。
【００３４】
Ｓ４は、チャネルを受信して、ＴＶ受像機へ表示する。これは、デコーダ１２がチャネルを受信してデコードして表示装置１１であるＴＶ受像機へ表示すると共に、Ｓ１４で視聴時間を設定（図６の契約管理テーブル１６の該当チャネルの視聴時間に加算して設定）する。
【００３５】
以上のＳ３とＳ１３、Ｓ４とＳ１４によって、契約管理テーブル１６に有料チャネルと設定されているチャネルが選択されたときにデコードして表示装置１１に表示すると共に視聴時間を計数して当該契約管理テーブル１６の該当チャネルの視聴時間に加算し、視聴時間の累積を管理することが可能となる。これにより、契約管理テーブル１６を参照し受信端末側で契約のコントロールすることが可能となり、利用者が契約管理テーブル１６の契約内容を、固定料金制ー従量制ー未契約の相互に自由に変更することができ、例えば、今まで固定料金制で契約していたチャネルがあったが、あまり視聴しなくなったので従量制に切り換えるといった具合に、自由に変更することができる。
【００３６】
Ｓ５は、契約情報と、視聴時間を送信する。これは、図１の受信端末１を構成する管理手段１４が定期的あるいは配信センタ２からの要求に対応して、契約管理テーブル１６の内容（契約情報と視聴時間）をネットワークを介して配信センタ２に送信し、当該利用者の契約管理テーブル２５の内容を最新に更新する。そして、配信センタ２を構成する管理手段２４が所定日（例えば月締めのときは月末）に利用者毎に当該契約管理テーブル２５に設定されている視聴時間をもとに管理データファイル２６（図６の（ｃ））を作成し、利用者に請求書を発行などし、請求処理などを行う。
【００３７】
図３は、本発明の動作説明フローチャート（表示）を示す。
図３において、Ｓ２１は、表示要求チャネルが受信拒否有りか判別する。これは、利用者が表示要求したチャネルについて、契約管理テーブル１６を参照して受信拒否フラグが１（有り）に設定されているか判別する。ＹＥＳの場合には、受信拒否有りと判明したので、Ｓ２８でＴＶ受信機への表示しない（表示要求チャネルの表示を抑止する）。一方、ＮＯの場合には、Ｓ２２に進む。
【００３８】
Ｓ２２は、表示要求チャネルが有料チャネルか判別する。これは、表示要求のあったチャネルについて、契約管理テーブル１６を参照して有料チャネルか判別する。ＹＥＳの場合には、有料チャネルと判明したので、Ｓ２３に進む。ＮＯの場合には、無料チャネルと判明したので、Ｓ２７でＴＶ受信機に当該表示要求のあったチャネルの信号をデコードして表示する。
【００３９】
Ｓ２３は、表示要求チャネルが固定料金での視聴契約済みか判別する。これは、表示要求のあったチャネルについて、契約管理テーブル１６を参照して当該チャネルの契約情報欄に固定料金契約が設定されているか判別する。ＹＥＳの場合には、固定料金契約が既に設定されていたので、Ｓ２７でデコードしてＴＶ受信機に表示する。ＮＯの場合には、固定料金契約でなく、時間料金契約あるいは有料試し見契約と判明したので、Ｓ２４に進む。
【００４０】
Ｓ２４は、チャネル視聴時間をカウントアップする。これは、表示要求のあったチャネルの視聴時間をカウントアップ開始し、契約管理テーブル１６の視聴時間に加算する。
【００４１】
Ｓ２５は、表示要求チャネルが有料試し見での視聴契約済みか判別する。ＹＥＳの場合には、Ｓ２７でデコードしてＴＶ受信機に表示する。ＮＯの場合には、Ｓ２６に進む。
【００４２】
Ｓ２６は、表示要求チャネルが無料試し見での時間範囲内か判別する。ＹＥＳの場合には、Ｓ２７でデコードしてＴＶ受信機に表示する。ＮＯの場合には、表示要求チャネルが無料試し見の一定時間を経過したと判明したので、Ｓ２９で有料チャネル契約処理（例えば図７の画面をＴＶ受信機に表示して利用者に表示要求チャネルを選択して有料チャネルの旨を契約管理テーブル１６に設定させる処理）を行い、Ｓ２１に戻り繰り返す。
【００４３】
以上によって、利用者が多数のチャネルの中から選択した表示要求したチャネルについて、契約管理テーブル１６に受信拒否、固定料金契約、時間料金契約、有料試し見契約の設定に応じて、表示を抑止、表示、表示と視聴時間のカウントアップ、表示と視聴時間のカウントアップをそれぞれ行うと共に、無料試し見時間経過したときに有料チャネル契約を促す画面を表示したりなどすることが可能となる。
【００４４】
図４は、本発明の動作説明フローチャート（課金）を示す。
図４において、Ｓ３１は、電源投入する。これは、図１の受信端末１の電源を投入する。
【００４５】
Ｓ３２は、チャネル選択画面を表示する。
Ｓ３３は、選択する。これは、Ｓ３２で表示された選択画面上で利用者が視聴しようとするチャネルを選択する。
【００４６】
Ｓ３４は、固定契約か判別する。これは、Ｓ３３で選択されたチャネルについて、契約管理テーブル１６を参照して固定料金契約が設定されているか判別する。ＹＥＳの場合には、固定料金契約が設定されていると判明したので、Ｓ３８でデコードして表示装置１１の画面に表示する。ＮＯの場合には、Ｓ３５に進む。
【００４７】
Ｓ３５は、時間契約か判別する。これは、Ｓ３３で選択されたチャネルについて、契約管理テーブル１６を参照して時間料金契約が設定されているか判別する。ＹＥＳの場合には、時間料金契約が設定されていると判明したので、Ｓ３９に進む。ＮＯの場合には、Ｓ３６に進む。
【００４８】
Ｓ３６は、視聴か判別する。これは、Ｓ３３で選択されたチャネルについて、契約管理テーブル１６を参照して有料チャネルが設定され、かつ契約が設定されていないか判別する。ＹＥＳの場合には、有料チャネルの視聴と判明したので、Ｓ４９に進む。ＮＯの場合には、有料チャネルの視聴でないと判明したので、Ｓ３７でデコードして表示装置１１に表示する。
【００４９】
Ｓ３９は、Ｓ３５のＹＥＳで時間料金契約と設定されていると判明したので、デコードして表示装置１１に表示する。
【００５０】
Ｓ４０は、時間経過したか判別する。これは、Ｓ３９で表示装置１１に表示して一定時間経過したか判別する。ＹＥＳの場合には、Ｓ４１で課金確認表示を行い、Ｓ４２に進む。ＮＯの場合には、Ｓ３９に戻り表示することを繰り返す。
【００５１】
Ｓ４２は、選択か判別する。これは、Ｓ４１で課金確認表示を行い、利用者が確認して当該課金確認を選択したか判別する。ＹＥＳの場合には、Ｓ４３で課金開始（視聴時間のカウントアップ開始）し、Ｓ４４でデコードして表示装置１１に表示し、Ｓ４５に進む。一方、Ｓ４２のＮＯの場合には、課金確認でＮＧを利用者が選択したので、Ｓ３２のチャネル選択画面を表示し、Ｓ３３以降を繰り返す。
【００５２】
Ｓ４５は、チャネル切り換えか判別する。これは、利用者が時間課金で視聴しているチャネルについて他のチャネルに切り換えたか判別する。ＹＥＳの場合には、Ｓ４７で課金終了時刻を記録し、Ｓ３２に戻り繰り返す。ＮＯの場合には、Ｓ４６に進む。
【００５３】
Ｓ４６は、電源オフか判別する。ＹＥＳの場合には、Ｓ４８で課金終了時刻を記録し、終了する。ＮＯの場合には、Ｓ４４に戻り繰り返す。
【００５４】
Ｓ４９は、Ｓ３６のＹＥＳで有料チャネルの視聴と判明したので、視聴（デコードして表示装置１１に表示）する。
【００５５】
Ｓ５０は、一定時間経過したか判別する。これは、有料チャネルを視聴した時間が無料とする一定時間を経過したか判別する。ＹＥＳの場合には、Ｓ５１に進む。ＮＯの場合には、Ｓ４９に戻り繰り返す。
【００５６】
Ｓ５１は、新規登録画面を表示する。これは、利用者が有料チャネルについて無料とする一定の視聴時間を経過したので、当該チャネルについて新規登録する画面を表示する。
【００５７】
Ｓ５２は、新規登録か判別する。これは、Ｓ５１で表示した新規登録画面上で利用者が新規登録ボタンを選択したか判別する。ＹＥＳの場合には、Ｓ５３で登録（契約管理テーブル１６の該当有料チャネルの契約情報欄にここでは時間料金契約を設定、他に固定料金契約もあり）し、既述したＳ４３からＳ４８を実行し、視聴した時間をカウントアップして契約管理テーブル１６の該当チャネルの視聴時間に加算する。一方、Ｓ５２のＮＯの場合には、Ｓ３２に戻り繰り返す。
【００５８】
以上によって、利用者が図１の受信端末１の電源を投入してチャネルを選択し、選択されたチャネルについて契約管理テーブル１６を参照して固定料金契約、時間料金契約、視聴（有料チャネルで未契約のチャネルの視聴）、未契約と設定されている場合について、デコードして表示、視聴時間をカウントアップ、一定の無料時間経過時に登録画面を表示して登録を促す、デコードして表示するというそれぞれの該当処理を実行することが可能となる。
【００５９】
図５は、本発明の動作説明フローチャート（課金集計）を示す。
図５において、Ｓ６１は、センタよりデコーダへポーリングする。これは、図１の配信センタ２がネットワークを介して受信端末１を構成するデコーダ１２をポーリングし、課金ログの送信要求を行う。
【００６０】
Ｓ６２は、デコーダが課金ログの送信を行う。これは、既述した契約管理テーブル１６中の課金ログ（あるいは図６の（ａ）の契約管理テーブル１６の全ての情報）を配送センタ２に送信する（送信終了したら、デコーダ１２が保持する契約管理テーブル１６中の視聴時間をリセットする）。
【００６１】
Ｓ６３は、集計する。これは、Ｓ６２で送信を受けた課金情報を配送センタ２を構成する管理手段２４が契約管理テーブル２５に格納すると共に、当該利用者の課金情報を管理データテーブル２６に格納する。
【００６２】
以上によって、各受信端末１の課金情報を配信センタ２側からポーリングして収集して集計することが可能となる。また、各受信端末１側から所定日時に配送センタ２に課金情報（あるいは契約管理テーブル１６の全情報）を送信するようにしてもよい。
【００６３】
図６は、本発明のテーブル／ファイル例を示す。
図６の（ａ）は、契約管理テーブル１６，２５の例を示す。図示の契約管理テーブル１６，２５には、図示の下記の情報を登録する。
【００６４】
・チャネル番号：
・チャネル情報：
・契約情報：
・視聴時間：
・受信拒否フラグ：
・その他：
ここで、チャネル番号は配信センタ２が多数の受信端末１に向けて放送するチャネルの番号である。チャネル情報はここでは無料チャネル、有料チャネルの区別である。契約情報は有料チャネルの契約情報であって、
０：未契約
１：固定料金契約
２：時間料金契約
３：有料試し見契約
である。また、視聴時間は時間料金契約、有料試し見契約の場合に視聴した累積時間を設定する。受信拒否フラグは受信（表示）を拒否するフラグであって、
０：拒否しない
１：拒否する
である。
【００６５】
以上の情報を設定する契約管理テーブル１６を各受信端末１に設け、必要に応じて利用者が表示装置１１に画面を表示させて任意に設定、解除することが可能となると共に、既述した図４のＳ５１のように、有料チャネルの一定の無料視聴時間を経過したときに自動的に画面を表示して利用者に当該有料チャネルの契約（固定料金契約、時間料金契約など）を促すことが可能となる。そして、受信端末１から必要に応じて配信センタ２に当該契約管理テーブル１６の全ての情報を送信し、配送センタ２の当該利用者の契約管理テーブル２５を更新して最新の契約情報に更新することが可能となる。
【００６６】
図６の（ｂ）は、契約管理テーブルの具体例を示す。ここでは、契約管理テーブル１６，２５に図示の下記のように設定する。
【００６７】
・チャネル番号：６（チャネル番号が６）
・チャネル情報：１（チャネル情報が１（有料チャネル））
・契約情報　　：２（契約情報が２（時間料金契約））
・視聴時間　　：３０．２（視聴時間が３０．２時間）
・受信拒否フラグ：０（受信拒否フラグが０（受信拒否しない））
図６の（ｃ）は、管理データファイルの例を示す。これは、利用者毎の課金情報を集計したものであって、ここでは、図示の下記の情報を設定する。
【００６８】
・チャネル番号：
・トータル時間：
・開始日時：
・終了日時：
・課金ログ：
ここで、チャネル番号は利用者が視聴した有料チャネルの番号である。トータル時間は利用者が有料チャネルの視聴したトータル時間（今月分）である。開始日時、終了日時は視聴を開始、終了した日時である。
【００６９】
図７は、本発明の利用者契約登録画面の例を示す。利用者契約登録画面で、利用者が左端のチャネル番号をプルダウンメニューから１つ選択すると、その選択したチャネルの名称が表示され、更に、契約のフィールドでプルダウンメニューから固定制あるいは時間制などの１つを選択するとそのときの料金（固定制のときは月額の料金、時間制のときは１時間あたりの料金）がそれぞれ表示されるので、契約したいチャネル番号について全て選択し、登録ボタンを押下すると、既述した図６の（ａ）の契約管理テーブル１６に登録されることとなる。
【００７０】
図８は、本発明の時間制登録画面の例を示す。
図８の（ａ）は、チャネル番号”１０３”の名称”実験３ＷＷＷ”を利用者がチャネル選択したときに表示される画面例を示す。画面上で、
・すぐに契約します（１０分間の料金は無料扱い）
・１０分無料で試し見をします。
の表示のいずれかを選択でき、ここでは、”１０分無料で試し見をします”を選択すると、１０分視聴後に図８の（ｂ）の画面が表示される。尚、ここで、”すぐに契約します（１０分間の料金は無料扱い）”を選択すると、直ぐに図示外の登録画面に遷移し、当該登録画面に従って登録する。
【００７１】
図８の（ｂ）は、図８の（ａ）で”１０分無料で試し見します”を選択し、１０分視聴後に表示される画面例を示す。ここでは、１０分間の無料視聴時間を経過したので、画面上で
・契約します。
【００７２】
・契約しません。
の表示のいずれかを選択でき、”契約します”を選択すると、図示外の登録画面に遷移し、当該登録画面に従って登録する。一方、”契約しません”を選択すると、有料チャネルの無料視聴時間を経過したの、表示を抑止する。
【００７３】
（付記１）
暗号化された有料映像を受信する受信端末であって、
各チャネルの契約情報を格納した契約情報記憶手段と、
前記契約情報記憶手段を参照し、利用者が選択したチャネルに関する契約種別を判定する判定手段と、
前記判定手段の判定の結果、前記契約種別が固定料金制の場合には有料映像をデコードして表示装置に送信し、前記契約種別が従量制の場合は有料映像をデコードして表示装置に送信すると共に視聴時間の計量を開始する受信情報管理手段と
を備えることを特徴とする受信端末。
【００７４】
（付記２）
前記受信情報管理手段は、前記判定手段の判定の結果、前記契約種別が未契約の場合に、利用者に対して契約を行うか否かを確認し、その結果を前記契約情報記憶手段に記録することを特徴とする付記１記載の受信端末。
【００７５】
（付記３）
前記受信情報管理手段は、前記判定手段の判定の結果、前記契約種別が未契約の場合に、所定の無料視聴時間を経た後、利用者に対して契約を行うか否かを確認し、その結果を前記契約情報記憶手段に記録することを特徴とする付記１記載の受信端末。
【００７６】
（付記４）
前記視聴時間をチャネルごとに蓄積して格納した課金情報記憶手段を備え、
前記課金情報記憶手段を参照し、所定期間ごとに前記視聴時間を集計した結果を有料映像配信者に送信する課金情報送信手段を備えたことを特徴とする付記１から付記３のいずれかに記載の受信端末。
【００７７】
（付記５）
前記契約情報記憶手段は、チャネルごとの受信拒否情報を格納し、
前記受信拒否情報を参照し、受信拒否が設定されているチャネルについて視聴を抑止する手段を備えることを特徴とする付記１から付記４のいずれかに記載の受信端末。
【００７８】
（付記６）
前記契約情報記憶手段は、利用者が自由に変更可能であることを特徴とする付記１から付記５のいずれかに記載の受信端末。
【００７９】
【発明の効果】
以上説明したように、本発明によれば、有料チャネルの視聴に関する契約の切替や、短時間の有料視聴に応じた課金を利用者側に設置した装置で簡易に行える構成を採用しているため、有料チャネルの視聴の拡大を図ることが可能となる。これにより、
（１）未契約の有料チャネルを、利用者は一定時間無料で視聴でき、視聴した有料チャネルの契約の増加を促すことができる。
【００８０】
（２）有料チャネルの契約が受信端末１の画面上で可能となり、配信センタ２に電話したり、出向いたりなどして、契約、変更、解約したりなどの面倒な作業が不要となり、簡易に有料チャネルの契約を行うことが可能となる。
【００８１】
（３）　有料の試し見契約を利用することで、利用者は視聴したい短時間であっても簡易に契約して視聴することが可能となる。
【００８２】
（４）　契約情報および視聴情報を受信端末１の契約情報テーブル１６に登録し、これを配信センタ２に送信して契約管理、課金管理などすることにより、利用者の有料チャネルの契約、視聴時間の管理を簡易かつ自動的に行うことが可能となる。
【図面の簡単な説明】
【図１】本発明のシステム構成図である。
【図２】本発明の動作説明フローチャートである。
【図３】本発明の動作説明フローチャート（表示）である。
【図４】本発明の動作説明フローチャート（課金）である。
【図５】本発明の動作説明フローチャートである。
【図６】本発明のテーブル／ファイル例である。
【図７】本発明の利用者契約登録画面例である。
【図８】本発明の時間制登録画面例である。
【符号の説明】
１：受信端末
１１：表示装置
１２：デコーダ
１３：表示制御手段
１４：管理手段
１６、２５：契約管理テーブル
２：配信センタ
２１：エンコーダ
２２：サーバ
２３：配信手段
２４：管理手段
２５：契約管理テーブル
２６：管理データファイル
【図１】
2004096357.tif 000003
【図２】
2004096357.tif 000004
【図３】
2004096357.tif 000005
【図４】
2004096357.tif 000006
【図５】
2004096357.tif 000007
【図６】
2004096357.tif 000008
【図７】
2004096357.tif 000009
【図８】
2004096357.tif 000010